(57)【要約】      （修正有）【課題】容易に組み立てることができる、改良された新規のパッケージを提供する。【解決手段】繊維材料から成り、開閉可能な少なくとも１つの蓋２と、底部３と複数の側壁４ａ〜４ｄとを備える。該パッケージ１は、一枚のシート状パッケージプリフォームから組み立てられる。更に、パッケージは該パッケージ内の側壁の上部に折曲部１５によって接続されるチャンバ７を有する。チャンバは、製品を内部に収容するための製品開口１１を有するカバーパネルを備える。【選択図】図１
0003151764.tif 000002
【実用新案登録請求の範囲】
【請求項１】
繊維材料から成り、開閉可能な少なくとも１つの蓋（２）と、底部（３）と、少なくとも３つの側壁（４）とを備えるパッケージであって、
該パッケージ（１）は、一枚のシート状パッケージプリフォーム（３４）から組み立てられ、
該パッケージ内の側壁（４）の上部に少なくとも１つの折曲部（１５、１６）によって接続される少なくとも１つのチャンバ（７、７ａ、７ｂ）を有し、
前記チャンバ（７）は、該チャンバ（７）内に所定の自由空間（８）を画定するように配置されるカバーパネル（９）と、少なくとも１つの底部パネル（１０）と、少なくとも３つの側部パネル（１２ａ〜１２ｄ）とを備え、
前記カバーパネル（９）は、製品を前記自由空間（８）内に配置するための少なくとも１つの製品開口（１１）を有することを特徴とするパッケージ。
【請求項２】
請求項１に記載のパッケージにおいて、前記チャンバ（７）は、前記製品開口（１１）の縁の領域で、折曲部によって前記カバーパネルに接続される少なくとも１つの側部パネル（１２）を備え、及び該側部パネル（１２）は下方に折り曲げられ、その下縁が前記底部パネル（１０）に固定されることを特徴とするパッケージ。
【請求項３】
請求項２に記載のパッケージにおいて、前記折り曲げ可能な側部パネル（１２）の前記下縁にロック用フラップがあり、前記底部パネル（１０）は該ロック用フラップにロック用開口（３６）を有し、及び前記折り曲げ可能な側部パネル（１２）の前記ロック用フラップは、前記底部パネル（１０）の前記ロック用開口に配置されることによって前記側部パネルと前記底部パネルとが形状ロックされることを特徴とするパッケージ。
【請求項４】
請求項１〜請求項３のいずれかに記載のパッケージにおいて、前記チャンバの前記側部パネル（１２ａ〜１２ｄ）は、前記パッケージの前記側壁（４ａ〜４ｄ）から所定の距離（Ｌ１〜Ｌ４）に配置されることによって、前記チャンバ（７）内に配置される前記製品は、前記側部パネル（１２ａ〜１２ｄ）及び前記側壁（４ａ〜４ｄ）間の保護緩衝部分によって保護されることを特徴とするパッケージ。
【請求項５】
請求項１〜請求項４のいずれかに記載のパッケージにおいて、前記チャンバ（７）は、該チャンバ（７）の下部から前記パッケージの前記底部（３）の方へ向かう少なくとも１つの脚（２４）を備えることによって、前記チャンバの最外部にある底部パネル（１０、２５）は、前記パッケージの前記底部（３）から所定の距離にあることを特徴とするパッケージ。
【請求項６】
請求項１〜請求項５のいずれかに記載のパッケージにおいて、前記チャンバ（７）は、前記実際の底部パネル（１０）の下に少なくとも１つの別の底部パネル（２５）を備えることによって、互いから一定の距離にある少なくとも３つの実質的に水平な平面（９、１０、２５）を備えることを特徴とするパッケージ。
【請求項７】
請求項６に記載のパッケージにおいて、前記チャンバの前記底部パネル（１０）及び前記別の底部パネル（２５）間には、少なくとも２つの横断方向の別の側部パネル（２７）があり、前記底部パネル（１０）は少なくとも１つの別の製品開口（２６）を有し、前記底部パネル（１０）、前記別の底部パネル（２５）及び前記別の側部パネル（２７）は、前記別の製品開口（２６）を通して少なくとも１つの製品（２９）を配置することができる別の自由空間（２８）を画定するように配置されることを特徴とするパッケージ。
【請求項８】
請求項１〜請求項７のいずれかに記載のパッケージにおいて、前記蓋（２）は、該蓋（２）に沿って延びるように配置され、且つ互いに重ねて接着される少なくとも３つの材料層を有する少なくとも１つの長手方向補強部分（３２）によって補強されることを特徴とするパッケージ。
【考案の詳細な説明】
【技術分野】
【０００１】
本考案は、繊維材料から作製され、開閉可能な少なくとも１つの蓋と、底部と、少なくとも３つの側壁とを備えるパッケージに関する。
【背景技術】
【０００２】
衝撃の影響を受け易い電子製品及び同様の製品並びに構成要素は、段ボールから作製されるパッケージに包装され得る。段ボールの利点は、その構造的剛性である。段ボールの欠点は、段ボールから作製されるパッケージが良質なものであるように見えないことである。代替物として、包装用板紙は、良質の印刷がなされたものが提供されるため、包装用材料としてしばしば使用され、衝撃の影響を受け易い製品のためのパッケージにも使用される。
【考案の概要】
【考案が解決しようとする課題】
【０００３】
しかし、包装用板紙は、段ボールと同様の構造的剛性を有しないため、包装用板紙パッケージの内部には、内部に製品が配置される別個の保護ケーシングを使用しなければならない。この保護ケーシングは、発泡プラスチックから作製されたもの、繊維パルプから圧縮成形されたもの、又は包装用板紙とは別個に作製された部材（item）であり得る。別個の保護ケーシングを有するパッケージは、製造が複雑且つ高価となるという欠点がある。
【０００４】
本考案の主な目的は、改良された新規のパッケージを提供することである。
【課題を解決するための手段】
【０００５】
本考案のパッケージは、一枚のシート状パッケージプリフォームから組み立てられること、少なくとも１つの折曲部によって当該パッケージ内の側壁の上部に接続される少なくとも１つのチャンバを有し、当該チャンバは、当該チャンバ内に所定の自由空間を画定するように配置されるカバーパネルと、少なくとも１つの底部パネルと、少なくとも３つの側部パネルとを備え、カバーパネルは製品を自由空間内に配置するための少なくとも１つの製品開口を有することを特徴とする。
【０００６】
本考案の着想は、パッケージの上部が、１つ又は複数の製品を収容する空間を有する１つ又は複数の別のチャンバを有することである。このチャンバは、パッケージが１枚のシート状パッケージプリフォームから成るため、パッケージ構造の残りの一体部分である。さらに、チャンバはパッケージの上部の一部のみを覆う。
【０００７】
本考案は、チャンバによって、小さいサイズの製品であっても、蓋を開けるとすぐに見える、パッケージの上部のすぐ手の届く所に配置することができるという利点を提供する。さらに、側部パネルによって、製品はチャンバ内の所定位置に留まる。チャンバはまた、パッケージの外面に加えられた衝撃から製品を保護し、この理由から、衝撃の影響を受け易い製品もチャンバ内に配置することができる。パッケージは、他の製品及び別の材料用の空間も有し、これらは、下及び側方からの衝撃からチャンバ内の製品を保護するようにパッケージ内に配置され得る。
【０００８】
チャンバ構造体によって、パッケージに容易に包装することができ、したがって機械包装にも適している。チャンバは、大きい製品又は材料をパッケージの底部に配置した後で簡便に最終形態に組み立てることができる。包装においては単純な直線的な移動が用いられ得る。
【０００９】
さらに、パッケージは繊維材料から作製される１つのパッケージプリフォームから成るため、多くの異なる構成要素から成るパッケージに比べてパッケージの製造がより簡単で速い。パッケージは、繊維材料から作製されるため再利用するのも簡単である。また、このパッケージ構造によって、例えばパッケージの外面、並びに蓋の内面及びチャンバのカバーパネルに多用途の印刷を施すことができる。
【００１０】
一実施の形態の着想は、チャンバがパッケージの底部から所定の距離にあり、これによって、１つ又は複数の製品をチャンバの下に配置することができることである。
【００１１】
一実施形態の着想は、チャンバが、製品開口の縁の領域で、折曲部によってカバーパネルに接続される少なくとも１つの側部パネルを備えることである。この側部パネルは、下方に折り曲げることができ、その下縁が底部パネルに固定され得る。この場合、側部パネルは、カバーパネル及び底部パネル間に実質的に垂直な部分を形成し、これによりチャンバ構造体を支持する。したがってチャンバ構造は堅固である。さらに、側部パネルは、製品開口の縁に剛性を与え、カバーパネルを支持する。側部パネルは、製品がチャンバ内で移動することを防止するようにさらに構成され得る。
【００１２】
一実施の形態の着想は、折り曲げ可能な側部パネルの下縁にロック用フラップがあることであり、これは、底部パネルのロック用開口に配置される。したがって、側部パネル及び底部パネル間で形状がロックされる。本願による側部パネルは、好適な押出機ラムを使用して機械によって水平位置から下方へ押すことができ、それによって、それらのロック用フラップは底部パネルのロック用開口に自動的にロックされる。したがって、側部パネルの下部は、底部パネル及びカバーパネル間の狭い空間に接着されるか又は他の何らかの方法で別々に固定される必要がない。この利点は、チャンバが迅速且つ簡単に形成されることである。
【００１３】
一実施の形態の着想は、チャンバの側部パネルがパッケージの側壁から所定の距離に配置されることである。したがって、チャンバ内に配置される製品は、側部パネル及び側壁間の保護緩衝部分によって保護される。この保護緩衝部分は、チャンバ内に包装されている製品に対して、パッケージの側壁に加わる衝撃が影響することを防止する。
【００１４】
一実施の形態の着想は、チャンバがチャンバの下部からパッケージの底部に向かう少なくとも１つの脚を備えることである。この脚によって、チャンバの最下の底部パネルがパッケージの底部から所定の距離にあり、これによって、例えばチャンバ内に配置される製品に関連する別の材料をパッケージの底部に配置することができる。別の材料が包装される場合でも、チャンバは折曲部において上方に回転することができ、これによって、例えばマニュアル、ＣＤ−ＲＯＭ又は同様の物体（これらのサイズは底部領域全体を実質的に覆う）を、簡単な直線的な移動によってパッケージの底部に配置することができる。別の利点は、脚がパッケージを高さ方向に支持することである。
【００１５】
一実施の形態の着想は、チャンバが、実際の底部パネルの下の底部から所定の距離に少なくとも１つの別の底部パネルを備えることである。したがってチャンバは、互いから所定の距離に少なくとも３つの実質的に水平な平面を備える。チャンバの底部パネルは、少なくとも１つの別の製品開口を有してもよく、底部パネル及び別の底部パネル間にはさらに、２つ以上の横断方向の別の側部パネルがあり得る。この場合、底部パネル、別の底部パネル及び別の側部パネルは、別の製品開口を通して少なくとも１つの製品を配置することができる別の自由空間を画定するように配置される。別の空間に配置される製品は、バッテリ又はメモリカード等の、チャンバ内に配置される実際の製品の付属品であり得る。そのような小さいサイズの付属品は、チャンバ内に配置される実際の製品の下の別の空間内で良好に保護される。
【００１６】
一実施の形態の着想は、蓋が少なくとも１つの長手方向補強部分によって補強され、これは、互いに重ねて接着される少なくとも３つの材料層を有する。この場合蓋は外側パネルを備え、この外側パネルに、折曲部によって蓋の対向する縁において蓋の第１の内側パネル及び第２の内側パネルが接続される。内側パネルは、所定のセクションに沿って互いに重なるような寸法にすることができ、したがって重なり合うセクションで補強部分を形成し、これは蓋の構造を補強する。したがって、補強部分のセクションには、少なくとも外側パネルと、互いに重ねて接着される２つの内側パネルがある。このように、蓋の構造は、少量の繊維材料を使用することによって補強することができる。さらに、そのような補強部分の構造は、１つのプリフォームから形成されるパッケージにおいて適用可能である。さらに、補強部分は機械で組み立てられるパッケージにも使用することができる。
【００１７】
一実施の形態の着想は、パッケージの隅が、隣接する側壁を互いに接着するのに用いるロック用フラップを備えることである。したがって、パッケージの隅は２つ折り分の接着された材料の厚さを有し、これがパッケージを堅固にする。接着される構造体は、機械を用いて組み立てることも容易である。
【００１８】
一実施の形態の着想は、パッケージが、２つのチャンバ、すなわち折曲部によって第１の側壁に接続される第１のチャンバと、折曲部によって対向する第２の側壁に接続される第２のチャンバを備えることである。パッケージの底部は矩形形状を有し、４つの側壁を備える。蓋は、折曲部によって第１の側壁及び第２の側壁間で第３の側壁又は第４の側壁に接続される。そのようなパッケージでは、包装されるいくつかの製品をチャンバ内に配置することができ、この場合、これらの製品は蓋を開けた後ですぐ手の届く所にあり、且つ側方からの衝撃からも保護される。チャンバの下に、より大きい製品及び物品が配置され得る空間を配置することも可能である。必要であれば、チャンバはパッケージから上方に回転させてもよく、これによって、底部の製品に容易に手が届く。
【００１９】
一実施の形態の着想は、パッケージが、折り畳み厚紙から成る一枚のシート状プリフォームから作製されることである。折り畳み厚紙は、比較的安価であり良質の印刷がなされ得るという利点を提供する。
【００２０】
一実施の形態の着想は、上方から見た場合、１つのチャンバが、最大でもパッケージの底部領域の半分に相当するように配置されることである。
【図面の簡単な説明】
【００２１】
【図１】チャンバが設けられている本考案のパッケージを概略的に示す。
【図２】図１によるパッケージを側面Ａから見て概略的に示す。
【図３】本考案の第２のパッケージを側部から見て概略的に示す。
【図４】図３と同様のパッケージの一部を方向Ｂから見て概略的に示す。
【図５】蓋を有しない図１のパッケージの上面図を方向Ｃから見て概略的に示す。
【図６】図１によるパッケージの蓋の細部を点Ｄから見て概略的に示す。
【図７】２つのチャンバが設けられている本考案のパッケージを概略的に示す。
【図８】パッケージを組み立てるのに使用される本考案のパッケージの展開したプリフォームを概略的に示す。
【図９】パッケージを組み立てるのに使用される本考案のパッケージの展開したプリフォームを概略的に示す。
【図１０】パッケージを組み立てるのに使用される本考案のパッケージの展開したプリフォームを概略的に示す。
【図１１】蓋及びチャンバの構造が予め組み立てられた後の図８のプリフォームを概略的に示す。
【考案を実施するための形態】
【００２２】
添付の図面において本考案のいくつかの実施形態がより詳細に説明される。
これらの図面では、本考案のいくつかの実施形態は分かり易くするために簡略化されている。図面において、同様の部分は同様の参照符号によって示される。
【００２３】
図１はパッケージ１を示し、このパッケージ１は、蓋２と、底部３と、複数の側壁４ａ〜４ｄとを備え得る。蓋２は、折曲部５によって側壁４ａの上縁に接続することができ、これによって蓋２が開閉可能になる。蓋２は、これをロックする必要なロック手段６を備えてもよく、又は代替的には蓋２は側壁４ｃに接着され得る。
図１はパッケージ１を示し、パッケージ１の底部３は矩形であり、この場合４つの側壁４がある。いくつかの場合では、底部は、三角形、六角形又は何らかの他の形状を有してもよく、これによって、側壁４の数及び蓋の形状は底部３の形状に従って構成される。１つの蓋２の代わりに、パッケージ１は２つ以上の蓋部分を備えてもよく、これらが共にパッケージの蓋を形成する。
パッケージ１は、上部に１つ又は複数のチャンバ７をさらに有してもよく、この１つ又は複数のチャンバ７は、内部に１つ又は複数の製品が配置され得る１つ又は複数の自由空間８を有する。
【００２４】
自由空間８は、チャンバ７のカバーパネル９、底部パネル１０、カバーパネル９内の製品開口１１、及び側部パネル１２ａ〜１２ｄによって画定することができ、製品開口１１の縁付近に配置され得る。
側部パネル１２ｂ〜１２ｄの少なくともいくつかは折り曲げ可能なフラップであってもよく、折曲部によってカバーパネル９に接続され、形状ロックによって底部パネル１０にロックされ得るか、又は接着されてもよい。カバーパネル９及び底部パネル１０間には接続パネル１３があってもよく、接続パネル１３の内面は、図１による適用例では側部パネル１２ａとして働き得る。
側部パネル１２ａ〜１２ｄは、カバーパネル９及び底部パネル１０を互いに支持することができ、これによって、チャンバ７の構造が堅固となり、チャンバ７内への製品の出し入れを容易にする。
底部パネル１０は、１つ又は複数の接着フラップ１４ａ、１４ｂを側壁４ｃに接着することによって固定され得る。接着フラップ１４及び底部パネル１０間には、折曲部１５があってもよく、これによって底部パネル１０を側壁４ｃに対して回転することができる。
カバーパネル９はその一方、折曲部１６によって側壁４ｃの上部に接続してもよく、これは、カバーパネル９も側壁４ｃに対して回転することができることを意味する。カバーパネル９及び接続パネル１３間には、折曲部１７がさらにあってもよく、また接続パネル１３及び底部パネル１０間には折曲部１８があってもよい。この場合、チャンバ７は、例えばマニュアル１９、ＣＤ−ＲＯＭ２０又は他の比較的大きい製品、補足品２１又は付属品２２をパッケージ１の底部３に配置した後で、破断線によって図２に示す位置から実線によって示す位置まで組み立てることができる。
【００２５】
チャンバ７は、カバーパネル９及び底部パネル１０を折曲部１６、１５に対して下方に回転させることによって組み立てることができる。この後、側部パネル４ｂ〜４ｄを下方に押してそれらの下部を底部パネル１０に固定することができる。このように、チャンバ７には自由空間８が設けられ、この内部には、例えば携帯電話、カメラ、何らかの他の電子デバイス、投薬装置、又は衝撃の影響を受け易い何らかの他のデバイスであり得る所望の製品２３を配置することができる。
図１は、チャンバ７が、１つ又は複数の脚２４を備え得ることを示し、この１つ又は複数の脚２４は、チャンバ７から下方に延び、パッケージ１の底部３又はチャンバ７の下の製品２２上で支持され得る。脚２４は、図１に示すようにチャンバ７の両端に配置してもよく、この場合パッケージ１の側壁４ｂ、４ｄに当接して寄り掛かるため、パッケージ１の内部への製品１９〜２２の配置を複雑にしない。最も簡潔には、脚２４はチャンバ７から下方に回転しているフラップであり得る。分かり易くするために、図２及び図３には脚２４を示さない。
【００２６】
図３に示されるパッケージ１は、チャンバ７が、実際の底部パネル１０の下に１つ又は複数の別の底部パネル２５を備えるという点において図１及び図２のパッケージ１とは異なる。
別の底部パネル２５は、底部パネル１０から所定の距離にある。この場合、チャンバ７は３つ以上の水平な平面９、１０、２５を有する。底部パネル１０は別の製品開口２６をさらに有してもよく、この別の製品開口２６の縁には、垂直壁を構成し、底部パネル１０上で別の底部パネル２５を支持し得る折り曲げ可能なフラップ２７があり得る。底部パネル１０、別の底部パネル２５及び折り曲げ可能なフラップ２７は、別の自由空間２８を画定し、この別の自由空間２８内には、カバーパネル８及び底部パネル１０間の自由空間８に配置される製品２３よりもサイズが小さい製品２９が配置され得る。製品２９は例えば、電子デバイス２３のバッテリ、メモリカード又は容易に損傷を受けるか若しくは紛失するより小さい製品、或いは、その非審美的な見た目に起因して実際の製品２３の下の別の空間２８に配置することが好ましい製品であり得る。図３に示すように、チャンバ７の全ての平面９、１０、２５は、チャンバ７が側壁４ｃに対して回転し得るように折曲部によって配置される。
【００２７】
図２及び図３の解決策では、平面９、１０、２５は、チャンバ７が図の破断線によって示す位置から実線によって示す水平位置まで回転すると互いから離れるように移動し、したがってこれらの平面は、チャンバ７が水平位置から上側位置へ回転する場合には互いに近寄る。当然ながら、製品は回転中にはチャンバ７内に存在することはできず、また、折り曲げ可能なパネル１２、２７等は底部パネル１０、２５に対して平行に回転しなければならないことが明らかである。
【００２８】
図４は、別の底部パネル２５が設けられているチャンバを方向Ｂから示す図である。別の底部パネル２５は、実際の底部パネル１０よりも実質的にサイズが小さくてもよい。接続パネル１３はスロット３０をさらに有してもよく、このスロット３０によって、空間８内に配置されている製品２３を取り扱うことがより容易である。別の底部パネル２５は、製品２９を指でチャンバ７から押し出すことができるように、別の空間２８に開口３１を有してもよい。
【００２９】
図５は、パッケージを上から示す。分かり易くするために、この図は蓋を示していない。チャンバ７の側部パネル１２ａ〜１２ｄは、パッケージ１の側壁４ａ〜４ｄから所定の距離Ｌ１〜Ｌ４にあり、これによって、空間８内に配置される製品２３を側部からの衝撃から保護する、空間８の周りの保護緩衝部分が設けられる。図１、図２及び図５の解決策では、接続パネル１３の内面は側部パネル１２ａとして働き、保護緩衝部分はこの接続パネル１３の外面及び側壁１３ｃ間に形成される。しかし、図３の適用例では、空間８は、保護緩衝部分が接続パネル１３及び折り曲げ可能な側部パネル１２ａ間に形成されるようにチャンバ７内に配置されている。
【００３０】
図６は、蓋２の構造の細部を示す。蓋２は外側パネル２ａを備えてもよく、この対向縁に、折曲部によって２つの内側パネル２ｂ及び２ｃが接続される。内側パネル２ｃは内側パネル２ｂまで延びてこれと重なるような寸法にすることができ、これによって、長手方向補強部分３２が蓋２に形成され、蓋２の構造を補強し、チャンバ７内に配置されている製品２３を蓋２の側部からの衝撃から保護する。補強部分３２では、材料の厚さは３つ折り分である。内側パネル２ｃは、折曲部３３を有してもよく、これによって、パネル２ｂ、２ｃが互いに重なるように構成することを容易にする。
【００３１】
図７は、パッケージ１が第１のチャンバ７ａ及び第２のチャンバ７ｂを有する適用例を示す。いくつかの場合では、より多くのチャンバ７があってもよい。チャンバ７ａ、７ｂの基本的な構造は、上記適用例のうちの１つと同様であり得る。図７に示すように、チャンバ７ａ及び７ｂのサイズ並びに形状は互いに異なり得る。チャンバ７ａ、７ｂは、それらの接続パネルが実質的に互いに当接するような寸法にしてもよく、これによって、パッケージの上部は実質的にチャンバのみから成るか、又は代替的には、図７におけるようにチャンバ間に間隙があり得る。この場合必要であれば、パッケージ全体の高さを有する製品をこの間隙内に包装することが可能である。チャンバ７ａ、７ｂの構造によって、これらのチャンバが図２及び図３に示すように上側位置へ回転したときに、大きい製品をパッケージの底部に配置することが可能となる。
【００３２】
図８は、パッケージプリフォーム３４を示し、このプリフォーム３４から、折って接着することによってパッケージを機械組み立てすることができる。上述の特徴とは別に、図のプリフォームは接着フラップ３５も含み、これを用いて、側壁４ａ〜４ｄがパッケージの隅で互いに接着され得る。したがって、パッケージが比較的薄い折り畳み厚紙から作製される場合にも、非常に堅固なパッケージが形成される。図８のパッケージプリフォーム３４はロック用スロット３６も含み、このロック用スロット３６内に折り曲げ可能な側部パネル１２ｂ、１２ｃ及び１２ｄのロック用フラップが形状ロックされ得る。
【００３３】
蓋２を除いては、図９に示すパッケージプリフォーム３４は図８に示すパッケージプリフォームと同様である。この場合、蓋２には窓３７を設けてもよく、この理由から、内側パネル２ｂ、２ｃはスロット３８を有する。
【００３４】
図１０に示すパッケージプリフォーム３４は一方で、１つの側壁４に懸吊フラップ３９を備える。この懸吊フラップ３９は、互いに当接して配置されて懸吊開口４１ａ、４１ｂが設けられる懸吊部分４０ａ、４０ｂを備えてもよい。
【００３５】
図１１は、パッケージ１が包装機において最終的に組み立てられる前の、蓋２及びチャンバ７が予め接着された後の図８によるパッケージプリフォーム３４を示す。
【００３６】
このパッケージプリフォーム３４は、図８、図９又は図１０に示されているものとは異なり得ることを述べておく。
【００３７】
いくつかの場合では、本願に示される特徴は、他の特徴にかかわらずそれ自体で使用され得る。他方では、本願に開示されている特徴は、必要であれば組み合わせて、異なる組み合わせを形成してもよい。
【００３８】
図面及び関連の説明は、本考案の着想を説明することのみを意図する。本考案は、その細部が実用新案登録請求の範囲に記載された範囲内で変わり得る。
【図１】
0003151764.tif 000003
【図２】
0003151764.tif 000004
【図３】
0003151764.tif 000005
【図４】
0003151764.tif 000006
【図５】
0003151764.tif 000007
【図６】
0003151764.tif 000008
【図７】
0003151764.tif 000009
【図８】
0003151764.tif 000010
【図９】
0003151764.tif 000011
【図１０】
0003151764.tif 000012
【図１１】
0003151764.tif 000013